(57)【要約】【課題】手間をかけることなく鼻聴道線を顔面上で簡易的に示すことができる鼻聴道線指示具を提供する。【解決手段】、本発明の一側面に係る鼻聴道線指示具は、対象者の鼻聴道線を示すための鼻聴道線指示具であって、前記対象者の両耳に装着可能に構成される左右一対の装着部と、前記両装着部に取り付けられ、前記両装着部間に架け渡される紐状部材と、を備え、前記紐状部材は、前記両装着部間を架け渡す長さを調節可能に構成される。【選択図】図１
2019208649.tif 000002
【特許請求の範囲】
【請求項１】
対象者の鼻聴道線を示すための鼻聴道線指示具であって、
前記対象者の両耳に装着可能に構成される左右一対の装着部と、
前記両装着部に取り付けられ、前記両装着部間に架け渡される紐状部材と、
を備え、
前記紐状部材は、前記両装着部間を架け渡す長さを調節可能に構成される、
鼻聴道線指示具。
【請求項２】
前記各装着部は、各耳の外耳孔に配される突起部を備え、
前記紐状部材は、両端部側それぞれで前記各装着部の前記突起部に取り付けられる、
請求項１に記載の鼻聴道線指示具。
【請求項３】
少なくともいずれか一方の前記装着部の前記突起部には貫通孔が設けられ、
前記紐状部材は、一端部側で前記貫通孔に進退可能に通されていることで、前記両装着部間を架け渡す長さを調節可能に構成される、
請求項２に記載の鼻聴道線指示具。
【請求項４】
前記紐状部材の前記貫通孔から抜け出した前記一端部側の部分には、前記紐状部材の前記一端部が前記貫通孔を通過しないように、前記貫通孔の径よりも大きい形状を有する抜け止め部が設けられる、
請求項３に記載の鼻聴道線指示具。
【請求項５】
前記一対の装着部の少なくとも一方には、前記紐状部材の位置を測定するための目盛りを有する測定部が設けられている、
請求項１から４のいずれか１項に記載の鼻聴道線指示具。
【発明の詳細な説明】
【技術分野】
【０００１】
本発明は、対象者の鼻聴道線を示すための鼻聴道線指示具の技術に関する。
【背景技術】
【０００２】
一般的に、義歯の作製等、歯の治療を行う際に、歯列の咬合平面の確認が行われる。この咬合平面は、上顎中切歯の切縁の接触点と左右上顎第二大臼歯近心頬側咬頭頂との３点によって決定される平面であり、理想的な咬合平面は鼻聴道線と平行であることが知られている。従来、このような咬合平面の状態を確認するために、咬合平面板と呼ばれる器具が利用されている（例えば、特許文献１）。
【０００３】
咬合平面板は、咬合平面を測定する対象者の上下の咬合床間に配置される咬合部分と、この咬合部分から口の外側に出て、両耳の方に延びる一対のウイング部分と、を備えている。この咬合平面板では、一対のウイング部分が、咬合部分と平行になるように構成されている。そのため、上下の咬合床間に咬合部分を配置するように咬合平面板を対象者に装着した際には、一対のウイング部分は、咬合平面と平行になる。
【０００４】
したがって、この咬合平面板によれば、咬合平面板を対象者に装着し、各ウイング部分が延びる方向と鼻聴道線とを比較することで、咬合平面の状態を確認することができる。また、各ウイング部分が鼻聴道線に平行となるように咬合平面を決定することで、当該対象者の理想的な咬合平面を得ることができる。なお、鼻聴道線とは、鼻翼下縁と耳珠下縁を結ぶ仮想線であり、カンペルラインとも呼ばれる。
【先行技術文献】
【特許文献】
【０００５】
【特許文献１】特開２００６−１８７４０７号公報
【発明の概要】
【発明が解決しようとする課題】
【０００６】
従来、咬合平面板の各ウイング部分と比較する鼻聴道線を簡易的に顔面上に示すため、顔面の形状に対応した湾曲形状を有する金属線を用いる場合がある。この金属線は、対象者の顔面に引掛けることができる程度の弾性力を有するように構成されており、鼻聴道線に沿ってこの金属線を顔面に引掛けることで、顔面上に鼻聴道線を示すことができる。
【０００７】
しかしながら、様々な処置を行う際に対象者の顔が動くと、それに応じて、金属線も鼻聴道線から移動してしまう。そのため、歯科医師は、様々な処置を行う際に、鼻聴道線から金属線がずれないように、当該金属線を手で押さえなければならず、その分だけ手間が余計にかかってしまうという問題点があった。
【０００８】
本発明は、一側面では、このような点を考慮してなされたものであり、その目的は、手間をかけることなく鼻聴道線を顔面上で簡易的に示すことができる鼻聴道線指示具を提供することである。
【課題を解決するための手段】
【０００９】
本発明は、上述した課題を解決するために、以下の構成を採用する。
【００１０】
すなわち、本発明の一側面に係る鼻聴道線指示具は、対象者の鼻聴道線を示すための鼻聴道線指示具であって、前記対象者の両耳に装着可能に構成される左右一対の装着部と、前記両装着部に取り付けられ、前記両装着部間に架け渡される紐状部材と、を備え、前記紐状部材は、前記両装着部間を架け渡す長さを調節可能に構成される。
【００１１】
上記構成に係る鼻聴道線指示具は、対象者の両耳に装着される一対の装着部と、両装着部間に架け渡される紐状部材と、を備えている。そして、紐状部材は、両装着部間を架け渡す長さを調節可能に構成される。そのため、対象者の両耳に両装着部を装着した上で、両装着部から延びる紐状部材が鼻に引っ掛かるように、当該紐状部材の両装着部間を架け渡す長さを調節することで、鼻聴道線上を紐状部材が沿うようにすることができる。
【００１２】
すなわち、上記構成に係る鼻聴道線指示具をこの状態にすることで、紐状部材により鼻聴道線を顔面上で簡易的に示すことができる。また、各装着部が各耳から外れない限りは、歯科医師等が鼻聴道線指示具を手で押さえなくても、紐状部材により鼻聴道線を顔面上で示し続けることができる。したがって、当該構成に係る鼻聴道線指示具によれば、手間をかけることなく鼻聴道線を顔面上で簡易的に示すことができる。
【００１３】
また、上記一側面に係る鼻聴道線指示具の別の形態として、前記各装着部は、各耳の外耳孔に配される突起部を備えてよく、前記紐状部材は、両端部側それぞれで前記各装着部の前記突起部に取り付けられてよい。当該構成では、紐状部材は、各端部側において各外耳孔に配置される各突起部に取り付けられるため、各耳の耳珠下縁付近から延びて、両装着部間に架け渡されるように構成される。そのため、当該構成によれば、紐状部材が鼻聴道線を正確に示すようにすることができる。
【００１４】
また、上記一側面に係る鼻聴道線指示具の別の形態として、少なくともいずれか一方の前記装着部の前記突起部には貫通孔が設けられてよく、前記紐状部材は、一端部側で前記貫通孔に進退可能に通されていることで、前記両装着部間を架け渡す長さを調節可能に構成されてよい。当該構成に係る鼻聴道線指示具では、紐状部材において、両装着部間を架け渡している部分以外の部分として、貫通孔から抜け出た一端部側の部分が設けられる。そして、紐状部材は貫通孔に進退可能に通されているため、紐状部材の貫通孔から抜け出た一端部側の部分を引っ張ることで、当該部分の長さを長くし、当該紐状部材の両装着部間を架け渡す長さを短くすることができる。反対に、紐状部材の両装着部間を架け渡している部分を引っ張ることで、紐状部材の貫通孔から抜け出た一端部側の部分の長さを短くし、当該紐状部材の両装着部間を架け渡す長さを長くすることができる。したがって、当該構成によれば、紐状部材を引っ張るという簡単な操作で当該紐状部材の両装着部間を架け渡す長さを調節可能であるため、鼻聴道線指示具の操作性を高めることができる。
【００１５】
また、上記一側面に係る鼻聴道線指示具の別の形態として、前記紐状部材の前記貫通孔から抜け出した前記一端部側の部分には、前記紐状部材の前記一端部が前記貫通孔を通過しないように、前記貫通孔の径よりも大きい形状を有する抜け止め部が設けられてよい。当該構成によれば、紐状部材の一端部が貫通孔を通過し、紐状部材が装着部から外れてしまうのを防止することができる。
【００１６】
また、上記一側面に係る鼻聴道線指示具の別の形態として、前記一対の装着部の少なくとも一方には、前記紐状部材の位置を測定するための目盛りを有する測定部が設けられてい。当該構成によれば、鼻聴道線を示す紐状部材の位置を特定しやすくすることができる。
【発明の効果】
【００１７】
本発明によれば、手間をかけることなく鼻聴道線を顔面上で簡易的に示すことが可能な鼻聴道線指示具を提供することができる。
【図面の簡単な説明】
【００１８】
【図１】図１は、実施の形態に係る鼻聴道線指示具を模式的に例示する。
【図２】図２は、実施の形態に係る鼻聴道線指示具の第１装着部の突起部付近を拡大した部分拡大図である。
【図３Ａ】図３Ａは、実施の形態に係る鼻聴道線指示具の使用手順を模式的に例示する。
【図３Ｂ】図３Ｂは、実施の形態に係る鼻聴道線指示具の使用手順を模式的に例示する。
【図４】図４は、他の形態に係る鼻聴道線指示具を模式的に例示する。
【図５】図５は、他の形態に係る鼻聴道線指示具を模式的に例示する。
【図６】図６は、他の形態に係る鼻聴道線指示具を模式的に例示する。
【図７】図７は、他の形態に係る鼻聴道線指示具を模式的に例示する。
【発明を実施するための形態】
【００１９】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形が行われてもよい。つまり、本発明の実施にあたって、実施形態に応じた具体的構成が適宜採用されてもよい。
【００２０】
［構成例］
まず、図１及び図２を用いて、本実施形態に係る鼻聴道線指示具１の一つの構成例を説明する。図１は、本実施形態に係る鼻聴道線指示具１を模式的に例示する正面図である。また、図２は、本実施形態に係る鼻聴道線指示具１の第１装着部２の突起部２２付近を拡大した部分拡大図である。本実施形態に係る鼻聴道線指示具１は、例えば、咬合平面の位置を確認すべく、対象者の顔面上で鼻聴道線を示すために利用される。
【００２１】
図１に例示されるように、本実施形態に係る鼻聴道線指示具１は、左右一対の装着部（２、３）と、両装着部（２、３）に取り付けられ、両装着部（２、３）間に架け渡される紐状部材５と、を備えている。以下では、説明の便宜上、両装着部（２、３）をそれぞれ第１装着部２、第２装着部３とも称する。
【００２２】
＜装着部＞
まず、各装着部（２、３）について説明する。両装着部（２、３）は、鼻聴道線を顔面上に示す対象となる対象者の両耳に装着可能なように適宜構成されてよい。本実施形態では、両装着部（２、３）を対象者の両耳に装着可能なように、鼻聴道線指示具１は、公知のヘッドバンド型のヘッドフォンとほぼ同様に構成されている。
【００２３】
すなわち、両装着部（２、３）はそれぞれ、対象者の耳（耳介）に当てるイヤーパッド部（２１、３１）を備えており、両イヤーパッド部（２１、３１）は、頭の上に乗せるヘッドバンド部４の両端に連結している。そのため、鼻聴道線指示具１は、公知のヘッドバンド型のヘッドフォンとほぼ同様に対象者の頭に装着することができる。
【００２４】
具体的には、各イヤーパッド部（２１、３１）は、円盤状に形成されており、対象者の耳介に乗せることができる程度の大きさに構成されている。ただし、各イヤーパッド部（２１、３１）の形状及び寸法は、このような例に限定されなくてもよく、実施の形態に応じて適宜選択されてよい。例えば、各イヤーパッド部（２１、３１）は、対象者の耳介を覆うことができるような大きさに構成されてもよい。
【００２５】
また、ヘッドバンド部４は、対象者の頭の大きさに対応した長さを有しており、対象者の両側頭部を両端部で挟むことができる程度に弾性力を有するように構成されている。そのため、ヘッドバンド部４を対象者の頭に装着することで、両イヤーパッド部（２１、３１）を対象者の両耳に配置することができる。
【００２６】
なお、各イヤーパッド部（２１、３１）の耳介に当たる部分及びヘッドバンド部４の頭（特に、頭頂部）に当たる部分には、クッション材が取り付けられてもよい。また、ヘッドバンド部４は、長さが固定されていてもよいし、長さを調節可能に構成されてもよい。例えば、ヘッドバンド部４は、公知のヘッドフォンに設けられているスライド機構を設けることで、長さを調節可能に構成することができる。
【００２７】
また、本実施形態では、各装着部（２、３）における各イヤーパッド部（２１、３１）の略中央には、端部に丸みを帯びた棒状の突起部（２２、３２）が設けられている。各突起部（２２、３２）は、各イヤーパッド部（２１、３１）を対象者の各耳に装着した際に、各耳の外耳孔に配置されるように適宜構成される。
【００２８】
例えば、各突起部（２２、３２）は、各耳の外耳道の径よりも小さい径を有し、かつ、当該外耳道に挿入可能な程度の長さを有するように構成されてもよい。また、例えば、各突起部（２２、３２）は、各耳の外耳道に挿入されず、当該外耳道の入口（外耳孔）付近に到達する程度の長さを有するように構成されてもよい。この場合、各突起部（２２、３２）は、各耳の外耳道の径よりも小さい径を有してもよいし、大きい径を有してもよい。
【００２９】
＜紐状部材＞
次に、紐状部材５について説明する。図１に例示されるように、紐状部材５は、第１端部５１と第２端部５２とを有しており、両端部（５１、５２）側それぞれにおいて、各装着部（２、３）の各突起部（２２、３２）に取り付けられている。
【００３０】
具体的には、図２に例示されるように、紐状部材５の第１端部５１側に配置される第１装着部２の突起部２２には、紐状部材５が挿通可能な程度の径を有する貫通孔２３が設けられている。紐状部材５は、第１端部５１側において、この貫通孔２３に進退可能に通されていることにより、突起部２２に取り付けられている。そのため、第１端部５１は、本発明の「一端部」に相当する。
【００３１】
一方、図１に例示されるように、紐状部材５の第２端部５２は、第２装着部３の突起部３２に固定的に取り付けられている。第２端部５２を突起部３２に固定する方法は、実施の形態に応じて適宜選択されてよい。例えば、第２端部５２を突起部３２に接着剤等で接着することで、第２端部５２を突起部３２に固定してもよい。また、例えば、第２端部５２を突起部３２に結び付ける又は縫い付けることで、第２端部５２を突起部３２に固定してもよい。
【００３２】
これにより、紐状部材５は、第２端部５２から貫通孔２３を通過する手前までの第１部分５３と、貫通孔２３から抜け出てから第１端部５１までの第２部分５４と、に分割されている。第１部分５３は、紐状部材５において、両装着部（２、３）間を架け渡している部分に相当し、第２部分５４は、両装着部（２、３）間を架け渡している部分以外の部分に相当する。
【００３３】
そして、本実施形態では、上記のとおり、紐状部材５は、第１端部５１側で固定されておらず、貫通孔２３に進退可能に通されている。そのため、第１部分５３を引っ張ることによって、第１部分５３の長さを長くし、第２部分５４の長さを短くすることができる。他方、第２部分５４を引っ張ることで、第２部分５４の長さを長くし、第１部分５３の長さを短くすることができる。すなわち、本実施形態では、紐状部材５は、貫通孔２３に進退可能に通されていることで、両装着部（２、３）間を架け渡す第１部分５３の長さを調節可能に構成されている。
【００３４】
なお、紐状部材５の長さは、対象者の鼻聴道線を示すのに十分な長さを第１部分５３が取り得るのであれば、実施の形態に応じて適宜設定可能である。また、紐状部材５を各突起部（２２、３２）に取り付ける位置は、紐状部材５の第１部分５３の両端部が両耳の耳珠下縁付近に配置され、第１部分５３が鼻聴道線に沿うことができるのであれば、実施の形態に応じて適宜設定可能である。
【００３５】
また、図１及び図２に例示されるように、紐状部材５の貫通孔２３から抜け出した第１端部５１側の第２部分５４には、貫通孔２３の径よりも大きい形状を有する抜け止め部５５が設けられている。これにより、第１部分５３を引っ張り続けても、貫通孔２３の入口に抜け止め部５５が引っ掛かるため、紐状部材５の第１端部５１が貫通孔２３を通過しないようにすることができる。
【００３６】
すなわち、第１部分５３の長さを調節する際に、第１端部５１が貫通孔２３を通過し、紐状部材５が第１装着部２から外れてしまうのを防止することができる。なお、図１及び図２では、この抜け止め部５５は、紐状部材５の第１端部５１に設けられている。しかしながら、抜け止め部５５を設ける位置は、第１端部５１に限られなくてもよく、第１端部５１よりも中央側であってもよい。
【００３７】
［材料・製造方法］
次に、本実施形態に係る鼻聴道線指示具１の材料及び製造方法について説明する。各構成要素の材料は、実施の形態に応じて適宜選択されてよい。例えば、各装着部（２、３）の各イヤーパッド部（２１、３１）及び各突起部（２２、３２）並びにヘッドバンド部４の材料には、プラスチック等の樹脂材、金属材、木材、布材等が利用されてよい。
【００３８】
また、紐状部材５の材料には、各種公知の糸が利用されてもよい。なお、紐状部材５の材料は、紐状であれば特に限定されなくてもよく、ゴム糸等のような伸縮性のある材料が紐状部材５に用いられてもよいし、綿糸等のような伸縮性のない材料が紐状部材５に用いられてもよい。
【００３９】
そして、本実施形態に係る鼻聴道線指示具１は、これらの材料を、射出成形、切削加工等の公知の加工方法により加工することで、公知のヘッドフォン、耳当て等と同様に作製することができる。鼻聴道線指示具１の製造工程に採用する加工方法は、利用する材料に基づいて、適宜選択されてよい。
【００４０】
なお、各装着部（２、３）及びヘッドバンド部４は、一体に形成されてもよいし、別体に形成されてもよい。同様に、各装着部（２、３）において、各イヤーパッド部（２１、３１）及び各突起部（２２、３２）は、一体に形成されてもよいし、別体に形成されてもよい。各構成要素を別体に形成する場合には、例えば、各構成要素の物理的な形状に基づき、ネジ結合、嵌合等によって構成要素同士を連結可能なように構成される。
【００４１】
また、紐状部材５に設けられる抜け止め部５５は、紐状部材５とは別の部材によって形成されてもよいし、紐状部材５とは別の部材を用いずに、紐状部材５に結び目を作る等、塊状の部分を設けることによって形成されてもよい。抜け止め部５５の形成方法は、実施の形態に応じて適宜選択可能である。
【００４２】
［使用方法］
次に、図３Ａ及び図３Ｂを用いて、本実施形態に係る鼻聴道線指示具１の使用方法について説明する。図３Ａ及び図３Ｂは、本実施形態に係る鼻聴道線指示具１の使用手順の一例を模式的に例示する。なお、以下で説明する使用手順は、一例に過ぎず、各工程は、可能な限り変更されてもよい。
【００４３】
まず、図３Ａに例示されるように、紐状部材５の第１部分５３を引っ張って、第２部分５４を短くし、第１部分５３を対象者の鼻聴道線よりも長い状態にする。そして、ヘッドバンド部４を拡げ、両装着部（２、３）の両イヤーパッド部（２１、３１）で両耳を挟むように、鼻聴道線指示具１を対象者の頭に装着する。このとき、両装着部（２、３）の両突起部（２２、３２）が、両耳の外耳孔に配されるようにする。
【００４４】
次に、図３Ｂに例示されるように、紐状部材５の第２部分５４（例えば、抜け止め部５５）を把持して、この部分を引っ張ることで、第１部分５３が鼻翼に引っ掛かるまで、第１部分５３の長さを短くする。鼻聴道線指示具１への操作は以上で終了である。これにより、紐状部材５の第１部分５３の両端部は両耳の耳珠下縁付近に配置され、中央部は鼻翼下縁に配置される。すなわち、図３Ｂに例示されるように、紐状部材５の第１部分５３によって、対象者の顔面上に鼻聴道線を示すことができる。
【００４５】
［特徴］
以上のとおり、本実施形態に係る鼻聴道線指示具１によれば、対象者の両耳に両装着部（２、３）を装着し、紐状部材５の長さを調節するという簡単な手順で、紐状部材５の第１部分５３を、鼻聴道線上を沿うように配置することができる。これにより、対象者の顔面上で鼻聴道線を簡易的に示すことができる。また、各装着部（２、３）が各耳から外れない限りは、歯科医師等が鼻聴道線指示具１（特に、紐状部材５）を手で押さえなくても、紐状部材５の第１部分５３は鼻聴道線上に配置され続け、これにより、対象者の顔面上で鼻聴道線を示し続けることができる。したがって、本実施形態に係る鼻聴道線指示具１によれば、手間をかけることなく鼻聴道線を顔面上で簡易的に示すことができる。
【００４６】
また、各装着部（２、３）に各突起部（２２、３２）が設けられており、各突起部（２２、３２）は、各耳の外耳孔に配置される。そして、紐状部材５は、各突起部（２２、３２）に取り付けられる。そのため、紐状部材５の第１部分５３を、各耳の耳珠下縁付近から鼻翼下縁にかけて適切に配置することができる。したがって、本実施形態によれば、紐状部材５の第１部分５３によって、対象者の顔面上で鼻聴道線を正確に示すことができる。なお、各突起部（２２、３２）を各外耳孔に挿入することで、各装着部（２、３）が各耳から外れにくいようにすることができる。これにより、対象者に様々な処置を行っている間に当該対象者の顔が動いても、鼻聴道線指示具１が対象者の顔からずれないようにし、紐状部材５の第１部分５３で対象者の鼻聴道線を示し続けることができる。
【００４７】
また、本実施形態では、鼻聴道線指示具１を対象者の頭に装着し、紐状部材５の第２部分５４を引っ張るという簡単な操作で、紐状部材５の両装着部（２、３）を架け渡す長さを調節し、第１部分５３が鼻聴道線を示すようにすることができる。したがって、本実施形態によれば、簡易な操作で利用可能な鼻聴道線指示具を提供することができる。
【００４８】
また、本実施形態では、抜け止め部５５を設けることにより、紐状部材５の第１端部５１が貫通孔２３を通過し、紐状部材５が第１装着部２から外れてしまうのを防止することができる。なお、この抜け止め部５５は、第２部分５４の操作に利用することができる。抜け止め部５５は、紐状部材５の他の領域に比べると、形状が大きいため、把持しやすくなっている。そのため、このような抜け止め部５５を第２部分５４に設けることにより、第２部分５４を引っ張りやすくすることができる。
【００４９】
［変形例］
以上、本発明の実施形態を説明してきたが、前述までの説明はあらゆる点において本発明の例示に過ぎない。本発明の範囲を逸脱することなく種々の改良や変形を行うことができることは言うまでもない。また、上記鼻聴道線指示具１の各構成要素に関して、実施の形態に応じて、適宜、構成要素の省略、置換、及び追加が行われてもよい。上記鼻聴道線指示具１の各構成要素の形状及び大きさは、実施の形態に応じて、適宜設定されてもよい。上記鼻聴道線指示具１の各構成要素の素材は、実施の形態に応じて、適宜選択されてよい。例えば、以下の変更が可能である。なお、以下で説明する変形例では、上記実施形態と同様の構成要素に関しては同様の符号を用い、適宜説明を省略した。以下の変形例は、適宜組み合わせ可能である。
【００５０】
＜１＞
上記実施形態では、貫通孔２３は、突起部２２に設けられている。しかしながら、貫通孔２３の配置は、このような例に限定されなくてもよく、例えば、イヤーパッド部２１に貫通孔２３が設けられてもよい。
【００５１】
また、上記実施形態では、第１装着部２側に貫通孔２３が設けられており、紐状部材５は、第１端部５１側で、第１部分５３の長さを調節可能に構成されている。しかしながら、貫通孔２３は、第２装着部３側に設けられてもよいし、第１装着部２側及び第２装着部３側の両方に設けられてもよい。すなわち、貫通孔２３は、両装着部（２、３）の少なくともいずれか一方に設けるようにすることができる。
【００５２】
＜２＞
また、上記実施形態では、突起部２２の貫通孔２３に紐状部材５を進退可能に通すことで、紐状部材５は、両装着部（２、３）間を架け渡す長さを調節可能に構成されている。しかしながら、紐状部材５の両装着部（２、３）間を架け渡す長さを調節可能にする構成は、このような例に限定されなくてもよく、実施の形態に応じて適宜選択されてよい。例えば、図４のように構成してもよい。
【００５３】
図４は、本変形例に係る鼻聴道線指示具１Ａを模式的に例示する。図４に例示される鼻聴道線指示具１Ａでは、紐状部材５Ａの両端部（５１、５２）は、両装着部（２、３）の両突起部（２２、３２）に固定されている。一方、紐状部材５Ａの中央付近には、左右両側に延びる部分を束ねるスライダー５６が設けられている。
【００５４】
本変形例に係る鼻聴道線指示具１Ａでは、このスライダー５６により、紐状部材５Ａは、両装着部（２、３）間を架け渡す第１部分５３と、紐状部材５が部分的に束ねられ、両装着部（２、３）間を架け渡す部分以外の部分となる第２部分５７と、に分割される。スライダー５６を上方向に移動させることで、第２部分５７の長さを長くし、第１部分５３の長さを短くすることができる。他方、スライダー５６を下方向に移動させることで、第２部分５７の長さを短くし、第１部分５３の長さを短くすることができる。
【００５５】
そのため、本変形例に係る鼻聴道線指示具１Ａは、次のように使用される。すなわち、本変形例に係る鼻聴道線指示具１Ａを対象者の頭に装着した後、鼻下縁までスライダー５６を移動させて、紐状部材５Aの第１部分５３を鼻聴道線上に配置されるように、第１部分５３の長さを調節する。これにより、第１部分５３を鼻聴道線上に沿うように配置することができ、対象者の顔面上で鼻聴道線を示すことができる。上記実施形態に代えて、例えば、このようなスライド機構を設けることで、紐状部材の両装着部間を架け渡す長さを調節可能にしてもよい。
【００５６】
＜３＞
また、上記実施形態では、紐状部材５は、両端部（５１、５２）側において、各装着部（２、３）の各突起部（２２、３２）に取り付けられている。しかしながら、紐状部材５が取り付けられる場所は、このような例に限定されなくてもよく、実施の形態に応じて適宜選択されてよい。例えば、紐状部材５は、各イヤーパッド部（２１、３１）に取り付けられてもよい。このとき、各突起部（２２、２３）及び貫通孔２３は省略されてもよい。
【００５７】
＜４＞
また、上記実施形態では、両装着部（２、３）を対象者の両耳に装着可能にするため、鼻聴道線指示具１は、公知のヘッドバンド型のヘッドフォンのように構成されている。しかしながら、両装着部（２、３）の構成は、対象者の両耳に装着可能であれば、このような例に限定されなくてもよく、実施の形態に応じて適宜選択されてよい。例えば、鼻聴道線指示具１は、公知のインナーイヤー型、カナル型、ネックバンド型、又は耳かけ型のヘッドフォンのように構成されてよい。例えば、鼻聴道線指示具１は、図５及び図６のように構成されてよい。
【００５８】
図５は、公知のカナル型のヘッドフォンのように構成した鼻聴道線指示具１Ｂを模式的に例示する正面図である。また、図６は、公知の耳かけ型のヘッドフォンのように構成した鼻聴道線指示具１Ｃを模式的に例示する正面図である。
【００５９】
図５に例示される鼻聴道線指示具１Ｂでは、各装着部（２Ｂ、３Ｂ）は、基部（２４、３４）と、基部（２４、３４）から延びる突起部（２２、３２）と、を備えている。この鼻聴道線指示具１Ｂでは、各基部（２４、３４）を把持して、各突起部（２２、３２）を各耳の外耳道に挿入するようにして、各装着部（２Ｂ、３Ｂ）の各耳への装着が行われる。
【００６０】
図６に例示される鼻聴道線指示具１Ｃでは、各装着部（２Ｃ、３Ｃ）は、各イヤーパッド部（２１、３１）にフック部（２５、３５）が設けられている。この鼻聴道線指示具１Ｃでは、各フック部（２５、３５）を各耳の耳介外縁に引っ掛けるようにして、各装着部（２Ｃ、３Ｃ）の各耳への装着が行われる。上記実施形態に代えて、例えば、このような形態により、両装着部を両耳に装着可能に構成してもよい。なお、上記のような様々な形態のうち、紐状部材５を各耳に左右対称に配置するには、上記実施形態のように鼻聴道線指示具をヘッドバンド型に構成するのが好ましい。上記実施形態では、ヘッドバンド部４により両装着部（２、３）が連結されているため、当該両装着部（２、３）を対象者の両耳に正確に配置することができる。そのため、上記実施形態によれば、紐状部材５を両耳から左右対称に延びるようにすることができ、これによって、対象者の鼻聴道線を正確に示すことができる。
【００６１】
＜５＞
図７に示されるとおり、上記鼻聴道線指示具１の一対の装着部（２、３）の少なくとも一方には、紐状部材５の位置を測定するための目盛りを有する測定部が設けられてもよい。図７は、本変形例に係る鼻聴道線指示具１Ｄの一例を模式的に例示する。本変形例に係る鼻聴道線指示具１Ｄでは、各装着部（２、３）の下端側に、棒状の測定部８が取り付けられている。各測定部８は、鼻聴道線指示具１を対象者に装着した際に、鼻聴道線を示す紐状部材５の位置を測定するための目盛り８１を有している。この点を除き、本変形例に係る鼻聴道線指示具１Ｄは、上記鼻聴道線指示具１と同様に構成されている。当該変形例によれば、測定部８を利用することで、鼻聴道線を示す紐状部材５の位置を特定しやすくすることができる。なお、図７の例では、両装着部（２、３）にそれぞれ測定部８が設けられているが、両測定部８のうちいずれか一方は省略されてよい。
【符号の説明】
【００６２】
１…鼻聴道線指示具
２…第１装着部、
２１…イヤーパッド部、２２…突起部、２３…貫通孔、
３…第２装着部、
３１…イヤーパッド部、３２…突起部、
４…ヘッドバンド部、
５…紐状部材、
５１…第１端部、５２…第２端部、５３…第１部分、５４…第２部分、
５５…抜け止め部、
１Ａ…鼻聴道線指示具、
５Ａ…紐状部材、５６…スライダー、５７…第２部分、
１Ｂ…鼻聴道線指示具、
２Ｂ…第１装着部、２４…基部、
３Ｂ…第２装着部、３４…基部、
１Ｃ…鼻聴道線指示具、
２Ｃ…第１装着部、２５…フック部、
３Ｃ…第２装着部、３５…フック部
【図１】
2019208649.tif 000003
【図２】
2019208649.tif 000004
【図３Ａ】
2019208649.tif 000005
【図３Ｂ】
2019208649.tif 000006
【図４】
2019208649.tif 000007
【図５】
2019208649.tif 000008
【図６】
2019208649.tif 000009
【図７】
2019208649.tif 000010